(57)【要約】【課題】回転部材の回転位置を検出する位置検出手段の良否を、電源投入毎に容易に判定できるようにすること。【解決手段】電源投入後に、ＲＯＭの電源断判定値ＨＡとＲＡＭの電源断判定値ＨＢとが一致しない場合には（Ｓ１２：Ｎｏ）、駆動モータが４８ステップ分駆動されて回転リールが２回転される（Ｓ１４〜Ｓ１７）。この２回転の間に、２つのセンサ信号を正常に受信した場合には（Ｓ１８：Ｙｅｓ）　、今回の電源投入時の回転開始時の演出図柄（例えば、「スター」）と同様の演出図柄の全体が正常に表示される。しかし、その２回転の間にセンサ信号を正常に受信できなかった場合（Ｓ１８：Ｎｏ）、駆動モータが更に６ステップ分駆動され（Ｓ１９）、回転リールは更に１／４回転だけ余分に回転される。それ故、２つの演出図柄が半分ずつ同時に表示された中途半端な表示状態となる。【選択図】　図１１
2004121651.tif 000002
【特許請求の範囲】
【請求項１】
遊技機を統括的に制御する遊技制御手段（６０）と、この遊技制御手段（６０）からの制御指令に基づき所定の演出手段（５５，５７，１００）　を制御する副制御手段（９０）と、外周部に複数の図柄が印された回転可能な回転部材（２９）と、この回転部材（２９）を回転させる電動モータ（３１）と、この電動モータ（３１）を駆動制御する駆動制御手段（９７）とを備えた遊技機において、
前記駆動制御手段（９７）は、電源投入後に回転部材（２９）を３６０度以上の所定の第１回転角度だけ回転させるように、前記電動モータ（３１）を駆動制御することを特徴とする遊技機。
【請求項２】
前記電動モータ（３１）はステッピングモータからなり、前記駆動制御手段（９７）は回転部材（２９）を第１回転角度回転させる第１ステップ数を記憶しており、
前記回転部材（２９）の特定の回転位置を検出する位置検出手段（３２）と、
前記駆動制御手段（９７）から第１ステップ数の駆動パルスを出力する間に位置検出手段（３２）から受ける検出信号の数（ＳＮ）を計数し、その検出信号数（ＳＮ）に基づいて位置検出手段（３２）が異常か否かを判定する異常判定手段（Ｓ１７〜Ｓ１８）と、
を備えたことを特徴とする請求項１に記載の遊技機。
【請求項３】
前記異常判定手段（Ｓ１７〜Ｓ１８）により位置検出手段（３２）が異常であると判定された場合、前記駆動制御手段（９７）は回転部材（２９）を所定の第２回転角度だけ回転するように、前記電動モータ（３１）を駆動制御することを特徴とする請求項２に記載の遊技機。
【請求項４】
前記第２回転角度だけ回転させる為の第２ステップ数は、図柄の周方向配列ピッチに相当する角度だけ回転部材（２９）を回転させる為のピッチ対応ステップ数の整数倍とは異なるステップ数であることを特徴とする請求項３に記載の遊技機。
【請求項５】
前記副制御手段（９０）はＲＯＭ（４６ｂ）　とＲＡＭ（４６ｃ）　を含むマイクロコンピュータを備え、前記駆動制御手段（９７）は、電源投入後に前記ＲＯＭ（４６ｂ）　に予め記憶した電源断判定用数値（ＨＡ）と前記ＲＡＭ（４６ｃ）　に更新しつつ記憶される電源断判定用数値（ＨＢ）とを比較し、それらが一致しない場合にだけ電源断が生じたと判定して前記回転部材（２９）を第１回転角度だけ回転させる駆動制御を行うことを特徴とする請求項１〜４の何れかに記載の遊技機。
【請求項６】
前記異常判定手段（Ｓ１７〜Ｓ１８）により位置検出手段（３２）が異常であると判定された場合に、前記演出手段（５５，５７，１００）　により位置検出手段（３２）が異常である旨を報知することを特徴とする請求項１〜５の何れかに記載の遊技機。
【発明の詳細な説明】
【０００１】
【発明の属する技術分野】本発明は、複数の図柄を印した回転部材を演出用として別途備えた遊技機に関し、特に電源を投入する毎に、回転部材の回転位置を検出する位置検出手段の良否を検出するようにしたものである。
【０００２】
【従来の技術】従来、遊技機の一種であるパチンコ機においては、遊技盤に、普通入賞手段に加えて、普通図柄始動手段（所謂、ゲート手段）や特別図柄始動手段（所謂、電動式チューリップ）、１又は複数の普通図柄を変動表示可能な普通図柄表示手段、複数の特別図柄を変動表示可能な特別図柄表示手段、更に、アタッカーと呼ばれる大入賞口手段（開閉式入賞手段）等を備え、発射手段により遊技盤の遊技領域に発射された遊技球が特別図柄始動手段に入賞した場合、特別図柄表示手段における複数の特別図柄が所定変動時間だけ変動して停止する。
【０００３】
このとき、遊技球の特別図柄始動手段への入賞時点で抽選された結果が大当たりの場合、特定図柄態様（所謂、「７７７」等の大当たり図柄態様）となり、大入賞口手段が所定条件に基づいて、設定回数（例えば、１６ラウンド）まで開閉動作を繰り返し、遊技者に有利な特別遊技が付与される（例えば、特許文献１、特許文献２参照。）。
【０００４】
また、スロットマシンである回胴遊技機においては、複数（例えば、３つ）の回転リールからなる回転表示装置が設けられ、スタートレバー操作により一斉に回転した回転リールを遊技者のストップボタン操作により順次停止したときに、メダルの投入枚数に応じた入賞ラインの何れかに「７７７」等の特別遊技図柄が揃った場合に、大当たりとなって、ビッグボーナスやレギュラーボーナスが発生し、遊技者に有利な特別遊技が付与される。
【０００５】
ところで、パチンコ機やスロットマシンでは、演出用の回転リールが、特別図柄表示手段や回転表示装置の近傍に第４リールとして別途設けられているものも実用化されている。ところで、この演出用の回転リールはステッピングモータからなる駆動モータによりオープンループ制御を介して回転駆動される。その為、回転リールの１カ所に切欠き部又は突起部を設け、この切欠き部又は突起部を検出する検出センサを設け、回転リールが１回転する毎に検出センサから出力される原点位置信号に基づいて、回転リールの回転位置、つまり停止表示させるべき演出図柄で停止させる停止位置を検出可能になっている。
【０００６】
ところで、その検出センサが故障した場合には、回転リールの原点位置を検出できないだけでなく、所定の演出図柄を表示して停止するように回転リールを駆動制御できないことになるため、検出センサの故障を検出可能な技術が種々提案されている。
【０００７】
例えば、特許第２６７６１９６号公報には、回転ドラムユニットの回転ドラムの１カ所に形成した切欠部をフォトセンサで検出するようにし、電源の投入時には、ステップカウンタＳＣ１の値がリセット値（所定の励磁相に対応する値）であっても、フォトセンサから検出信号が入力されない場合に、回転ドラムが１回転する時間だけ待ってもフォトセンサから、依然として検出信号が入力されない場合、回転ドラムを駆動するステッピングモータからなる駆動モータ又はフォトセンサの不良を検出できるようにしてある。但し、フォトセンサが正常な場合に、所定の演出図柄を表示するようになっている（例えば、特許文献３参照）。
【０００８】
【特許文献１】
特開２００２−６６０９１号公報
【特許文献２】
特開２００２−１０２４６２号公報
【特許文献３】
特許第２６７６１９６号公報（第７頁、第１１図）
【０００９】
【発明が解決しようとする課題】前記特許第２６７６１９６号公報に記載の弾球遊技機においては、電源投入に際して、先ず駆動モータを、フォトセンサから検出信号を受けるまで駆動させて、駆動モータの原点位置を設定してから、、更に所定ステップ数の駆動により駆動モータを駆動することで、回転ドラムの予め定められた識別情報を表示させるため、駆動モータを２回分駆動制御しなければならず、駆動制御が複雑化すること、フォトセンサの故障診断に長時間を要すること、等の問題がある。
【００１０】
本発明の目的は、回転部材の回転位置を検出する位置検出手段の良否を、電源投入毎に容易に判定できるようにすること、等である。
【００１１】
【課題を解決するための手段】請求項１に係る遊技機は、遊技機を統括的に制御する遊技制御手段と、この遊技制御手段からの制御指令に基づき所定の演出手段を制御する副制御手段と、外周部に複数の図柄が印された回転可能な回転部材と、この回転部材を回転させる電動モータと、この電動モータを駆動制御する駆動制御手段とを備えた遊技機において、駆動制御手段は、電源投入後に回転部材を３６０度以上の所定の第１回転角度だけ回転させるように、電動モータを駆動制御するものである。
【００１２】
ここで、３６０度以上の所定の第１回転角度は、回転部材を１回転させてもよく、またそれ以上に大きい２回転、３回転・・等、任意の回転数でもよい。また、遊技機は、遊技球を用いて遊技する弾球遊技機（所謂、パチンコ機）であってもよく、メダルを用いて遊技するスロットマシンであってもよい。
【００１３】
遊技機への電源投入後において、電動モータが駆動制御されて、回転部材が３６０度以上の所定の第１回転角度だけ回転されるため、回転部材は電源遮断時に表示している図柄に代えて、その外周部に印された複数の図柄のうちの１周以上回転した何れかの図柄を表示して停止する。この時点で停止表示される図柄が回転開始時の図柄と異なる場合でも、第１回転角度の設定如何で、外周部の何れかの図柄が正規に表示されたり、或いは正規に表示されなかったりする。即ち、図柄の全体が正しく表示されたり、表示されなかったりする。
【００１４】
それ故、遊技ホールの従業員が図柄の表示状態を目で確認することで、回転部材の回転制御が正常であるか否か、つまり回転部材の回転制御に必要な回転位置検出が正常か否かを容易に判断することができる。ここで、前記電動モータはステッピングモータからなり、駆動制御手段は回転部材を第１回転角度回転させる第１ステップ数を記憶しており、回転部材の特定の回転位置を検出する位置検出手段と、駆動制御手段から第１ステップ数の駆動パルスを出力する間に位置検出手段から受ける検出信号の数を計数し、その検出信号数に基づいて位置検出手段が異常か否かを判定する異常判定手段とを備えるようにしてもよい。
【００１５】
また、前記異常判定手段により位置検出手段が異常であると判定された場合には、駆動制御手段は回転部材を所定の第２回転角度だけ回転するように、電動モータを駆動制御するようにしてもよい。また、前記第２回転角度だけ回転させる為の第２ステップ数は、図柄の周方向配列ピッチに相当する角度だけ回転部材を回転させる為のピッチ対応ステップ数の整数倍とは異なるステップ数であってもよい。
【００１６】
また、前記副制御手段はＲＯＭとＲＡＭを含むマイクロコンピュータを備え、駆動制御手段は、電源投入後に前記ＲＯＭに予め記憶した電源断判定用数値とＲＡＭに更新しつつ記憶される電源断判定用数値とを比較し、それらが一致しない場合にだけ電源断が生じたと判定して回転部材を第１回転角度だけ回転させる駆動制御を行うようにしてもよい。また、前記異常判定手段により位置検出手段が異常であると判定された場合に、演出手段により位置検出手段が異常である旨を報知するようにしてもよい。
【００１７】
【発明の実施の形態】
以下、本発明の実施の形態について図面に基いて説明する。
本実施形態は、パチンコホールの島構造体に設置される、所謂、カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００１８】
図１〜図４に示すように、カード式弾球遊技機であるパチンコ機２は、矩形枠状の外枠３と外枠３に開閉自在に枢着された前枠４とを有し、カード式球貸し機１をサンドイッチ状に挟持する状態で、外枠３が島構造体（図示略）に取り外し可能に固定されている。前枠４には、遊技盤５が裏側から着脱自在に装着され、遊技盤５の前側に窓部６ａを有するガラス扉６と、球受け皿８を取付けた前面板７とが夫々開閉自在にヒンジで枢着されている。
【００１９】
前枠４の下部に、下皿９と発射手段１０の発射ハンドル１１とが設けられている。発射手段１０は、回動操作する発射ハンドル１１と、発射ハンドル１１の回動角度に応じた打撃力で打撃槌１２により遊技球を発射させる発射モータ１３（図３、図４参照）等を備えている。球受け皿８の右部には、カード式球貸し機１に対する球貸し操作用の操作パネル１４が設けられ、カード残額表示部１４ａと、遊技球の球貸しを指示する球貸しスイッチ１４ｂと、カード返却用の返却スイッチ１４ｃとを有する。前枠４の下端部で下皿９の左側に、後述する演出用回転リール２９の回転を手動で停止させる停止スイッチ１６が設けられている。
【００２０】
図２に示すように、遊技盤５の外周部には、金属製の外レールと内レールとからなるガイドレール１５がほぼ環状に設けられている。ガイドレール１５の内側の遊技領域５ａには、中央部のセンターケース２０と、センターケース２０内に組み込まれたカラーの液晶ディスプレイ２１と、複数の普通入賞手段２２と、左右の普通図柄始動手段２３と、特別図柄始動手段２４と、大入賞口手段（開閉式入賞手段）２５等が夫々所定の位置に配設されている。センターケース２０の上部に４つの普通図柄作動保留ランプ２６が設けられ、その下部に４つの特別図柄作動保留ランプ２７が設けられている。
【００２１】
次に、センターケース２０の上部に一体的に設けられた演出用の回転表示装置２８について、図２，図３に基づいて説明する。
この回転表示装置２８は水平面で回転可能に支持された回転リール（これが回転部材に相当する）２９と、回転リール２９の前端部を覆う透明な湾曲状の前面カバー３０と、回転リール２９を回転駆動する駆動モータ３１（これが電動モータに相当する）と、回転リール２９の内部に下向きに突出する１つの突起部（図示略）の通過を検出するフォトインタラプタ３２（これが位置検出手段に相当する）等で構成されている。
【００２２】
回転リール２９は、駆動モータ３１の駆動軸に固着されたリールフレーム２９ａと、そのリールフレーム２９ａの外周部に貼着された帯状の図柄シート２９ｂからなっている。この図柄シート２９ｂには、６種類の演出図柄が６０°おきに印されている。これら６種類の演出図柄は、例えば、「スター」、「ダイヤモンド」、「ベル」・・・等である。図４に示すように、この駆動モータ３１は、例えば、２相励磁方式のステッピングモータからなり、１回転で２４ステップ構成である。それ故、１つの演出図柄の配列ピッチにおけるピッチ対応ステップ数は４ステップである。
【００２３】
即ち、第１演出図柄「スター」Ｚ１、第２演出図柄「ダイヤモンド」Ｚ２、第３演出図柄「ベル」Ｚ３、その他の第４〜第６演出図柄Ｚ４〜Ｚ６は、６０°おき、つまり４ステップおきに夫々配列されている。そのため、遊技者からは、湾曲状の前面カバー３０を介して、第１〜第６演出図柄Ｚ１〜Ｚ６のうちの１つだけが択一的に見えるようになっている。ここで、フォトインタラプタ３２は発光器と受光器とからなり、回転リール２９が１回転する毎に発光器からの光が回転リール２９の１カ所に設けた突起部（図示略）で遮られ、Ｌレベルのセンサ信号を出力する。
【００２４】
後述するように、図柄表示手段１００の各表示部２１〜２１ｃにおいて特別図柄が変動を開始した場合、変動パターンの種類によって回転リール２９が自動的に所定の回転方向に回転されるので、その回転している間に、遊技者が停止スイッチ１６を手動操作した場合、停止タイミングに応じた何れかの演出図柄Ｚ１〜Ｚ６だけを湾曲状の前面カバー３０を介して表示するように、駆動モータ３１の回転が停止される。
【００２５】
遊技領域５ａには複数の風車や多数の遊技釘等が設けられているが、図示を省略する。特別図柄始動手段２４においては、普通電動役物ソレノイド２８により左右１対の開閉爪２４ａが開閉可能に構成されている。大入賞口手段２５においては、大当たりが発生して開閉板２５ａが前方に開放された場合、遊技者に有利な利益状態が発生する。
【００２６】
図５、図６に示すように、前枠４の裏側に門形状の遊技盤保持体（所謂、三方枠）３５が固定され、遊技盤５とその後側に位置する裏機構板３６とが遊技盤保持体３５で着脱可能に前枠４に装着されている。裏機構板３６の上側に、外部出力基板３８を収容した基板カバー３７と、球タンク３９と、この球タンク３９から延びるタンクレール４０とが設けられ、タンクレール４０に接続された払出し／球貸し機構４１が裏機構板３６の側部に設けられ、裏機構板３６の下側に、払出し／球貸し機構４１の下流側に接続された払出し球誘導路４２が設けられている。
【００２７】
払出し／球貸し機構４１から賞球として払出された遊技球又は球貸し用の遊技球は、払出し球誘導路４２を経由して球受け皿８に払出される。裏機構板３６の略中央部に形成された矩形状開口部３６ａには、遊技盤５の裏側に装着された裏カバー４３が嵌合している。裏カバー４３の後面に装着された基板ケース４４の内部には、後側に主制御基板４５が配設され、前側には図柄制御基板４６が配設されている。
【００２８】
液晶ディスプレイ２１はこの図柄制御基板４６に液晶ドライバ９６（図５参照）を介して電気的に接続されている。基板ケース４４の下側で裏カバー４３に装着された基板ケース４７の内部に、音声／ランプ制御基板４８が設けられている。基板ケース４７の下側で裏機構板３６に装着された基板ケース４９の内部に、電源基板５０と、払出し制御基板５１と、外部インターフェース制御基板（図７参照）５２が夫々設けられている。
【００２９】
発射手段１０の後側に装着された基板ケース５２の内部に、発射制御基板５３が設けられている。主制御基板４５とその他の制御基板４６，４８，５１とは、複数本の信号線でコネクタを介して電気的に接続され、主制御基板４５から各制御基板４８（４６），５１に、所定の遊技動作を実行させる種々の制御コマンドを基本的に一方向通信にて送信可能になっている。
【００３０】
次に、パチンコ機２の制御装置について、図７のブロック図に基づいて説明する。
主制御基板４５には、シングルチップ形のマイクロコンピュータを構成するＣＰＵ４５ａと、ＲＯＭ４５ｂと、ＲＡＭ４５ｃと、入出力インターフェース４５ｄ，４５ｅ等が設けられている。
【００３１】
そして、この主制御基板４５に、複数の普通入賞手段２２への遊技球の入賞を検出する複数の普通入賞スイッチ２２ａと、各普通図柄始動手段２３への遊技球の入賞を検出する普通図柄始動スイッチ２３ａと、特別図柄始動手段２４への遊技球の入賞を検出する特別図柄始動スイッチ２４ａと、大入賞口手段２５の普通入賞領域２５ｂへの遊技球の入賞を検出する普通入賞スイッチ２５ｃと、大入賞口手段２５の特定入賞領域２５ｄ（所謂、Ｖゾーン）への遊技球の入賞を検出する特定入賞スイッチ２５ｅと、普通電動役物ソレノイド２８と、特別電動役物ソレノイド２９とが夫々接続されている。
【００３２】
払出し制御基板５１には、シングルチップ形のマイクロコンピュータを構成するＣＰＵ５１ａと、ＲＯＭ５１ｂと、ＲＡＭ５１ｃと、入出力インターフェース５１ｄ等が設けられている。この払出し制御基板５１は外部Ｉ／Ｆ制御基板５２に直接に接続されている。この払出し／球貸し機構４１には、遊技球の払出し通路を賞球用と球貸し用とに択一的に切換える切換えソレノイド４１ａと、払出しモータ４１ｂと、球貸し計数スイッチ４１ｃと、賞球計数スイッチ４１ｄとが夫々接続されている。
【００３３】
このように、払出し制御基板５１は主制御基板４５から送信される種々の制御コマンドを直接受信可能である。外部Ｉ／Ｆ制御基板５２には、更に、操作パネル１４と、カード式球貸し機１と、発射制御基板５３とが夫々接続されている。発射制御基板５３にはモータ駆動回路５３ａが設けられ、発射モータ１３はこの発射制御基板５３により駆動制御される。音声／ランプ制御基板４８には、シングルチップ形のマイクロコンピュータを構成するＣＰＵ４８ａと、ＲＯＭ４８ｂと、ＲＡＭ４８ｃと、入出力インターフェース４８ｄ等が設けられている。
【００３４】
そして、この音声／ランプ制御基板４８には、球受け皿８の裏側に設けられたスピーカ５５と、確率状態表示ランプ５６と、装飾ランプ群５７と、普通図柄作動保留ランプ２６と、特別図柄作動保留ランプ２７等が接続されている。そして、この音声／ランプ制御基板４８は主制御基板４５から送信される種々の制御コマンドを直接受信可能になっている。図柄制御基板４６は、シングルチップ形のマイクロコンピュータを構成するＣＰＵ４６ａと、ＲＯＭ４６ｂと、ＲＡＭ４６ｃと、入出力インターフェース４６ｄ等を備えたものである。
【００３５】
そして、この図柄制御基板４６は、液晶ドライバ９６を介して液晶ディスプレイ２１に表示駆動信号を出力するのに加えて、停止スイッチ１６からのスイッチ信号とフォトインタラプタ３２からのセンサ信号を受信し、駆動モータ３１に駆動パルス信号を出力して、回転リール２９を回転制御する。
【００３６】
ここで、液晶ディスプレイ２１は、３つの特別図柄（左図柄、中図柄、右図柄）を左表示部２１ａと中表示部２１ｂと右表示部２１ｃに表示するとともに、２つの普通図柄（左図柄、右図柄）を小型の左表示部２１ｄと右表示部２１ｅに表示するのに加えて、各種のキャラクタの動画や吹き出し等の動作を表示可能である。電源基板５０には、電源スイッチ５０ａと、電源投入後にＲＡＭ４５ｃ，５１ｃに記憶している遊技情報を全て消去するクリアスイッチ５０ｂと、停電が発生した場合のためのバックアップ電源５０ｃ等が設けられている。
【００３７】
次に、主制御基板４５のＲＯＭ４５ｂに予め格納した制御プログラムにより、主制御手段６０として達成される種々の機能について、図８の機能ブロック図により説明する。主制御基板４５上に構成された主制御手段６０は、遊技態様や遊技球の挙動に応じた遊技動作の制御、つまり遊技盤５に設けられた種々の遊技部品２４，２５や各種の遊技球入賞手段２２〜２５等に設けられた入賞スイッチ２２ａ〜２４ａ，２５ｃ，２５ｅ等に対する信号の入出力に関わる遊技盤５の遊技制御を主として司るとともに、後述する音声／ランプ制御手段８０と、図柄制御手段９０と、払出し制御手段１０５等に、必要に応じて各種の制御コマンドを順次送信出力するものである。
【００３８】
主制御手段６０（これが遊技制御手段に相当する）は、特別図柄用及び普通図柄用の両方を兼ね備えた乱数発生手段６１と、乱数抽出手段６２と、保留手段６３と、判定手段６４と、確率変更手段６５と、普通利益状態発生手段６６と、特別利益状態発生手段６７と、図柄変動決定手段６８に加えて、コマンド送受信手段６９と、入賞計数手段７０等を備えている。
【００３９】
乱数発生手段６１は、所定の微小な更新周期（例えば、約２ｍｓｅｃ）で、普通図柄用に、例えば「０〜９」までの制御乱数を繰り返し発生し、特別図柄用に、例えば「０〜２９９」までの制御乱数を繰り返し発生する。この乱数発生手段６１で発生する「０〜９」までの複数の制御乱数のうち、「０〜８」が予め定められた当たり用の判定値として設定されている。また、乱数発生手段６１で発生する「０〜２９９」までの複数の制御乱数のうち、１つの制御乱数（例えば、「１７」）だけが、予め定められた大当たり用判定値として設定されている。
【００４０】
乱数抽出手段６２は、乱数発生手段６１でサイクリックに発生する複数の制御乱数のうち、普通図柄に関して、左右何れかの普通図柄始動手段２３を遊技球が通過したときの１つの制御乱数を抽出する。更に、乱数抽出手段６２は特別図柄に関しても、特別図柄始動手段２４に遊技球が入賞したときの１つの大当たり判定乱数を抽出するとともに、確率変動か否かを決定する大当たり図柄乱数を抽出する。保留手段６３は、普通図柄始動手段２３を遊技球が通過したときに生成された保留球情報と保留球の数（つまり変動保留数）とを、最高で４組まで一時的に記憶するようにして、普通図柄変動動作の保留が可能である。
【００４１】
また、保留手段６３は、特別図柄始動手段２４を通過したときに生成された保留球情報と、保留球の数である変動保留数とを、最高で４組まで一時的に記憶するようにして、特別図柄変動動作の保留が可能である。但し、この場合の保留球情報には、抽出された大当たり判定乱数と大当たり図柄乱数とが設けられている。即ち、保留手段６３は、保留球情報を受ける毎にその保留球情報を、保留番号１、保留番号２・・保留番号４まで順次記憶し且つ変動保留数を１つずつインクリメントする。
【００４２】
変動中でなければ、記憶している複数の保留球情報について、保留番号１の保留球情報を判定用として保留番号０にシフトするともに、保留番号２以降の各保留球情報を１つずつ若い番号側、つまり下位側の番号に夫々シフトして上書きすることで、保留球情報の記憶数が減少して空き領域を設ける。
【００４３】
判定手段６４は、保留手段６３から供給される普通図柄用の当たり判定乱数について、普通図柄の変動前の時点で、当たり判定値と一致する「当たり」又は一致しない「外れ」の何れであるかを判定する。判定手段６４は、更に、保留手段６３から供給される特別図柄用の大当たり判定乱数について、特別図柄の変動前の時点で、大当たり判定値と一致する「大当たり」又は一致しない「外れ（外れリーチを含む）」の何れであるかを判定する。
【００４４】
判定手段６４は、更に、特別図柄用の大当たり図柄乱数について確率変動型の大当たりか否かの判定を行い、確率変動型であると判定した場合には、当該利益状態である特別遊技が終了した後、次回或いは次々回の大当たり迄、或いは所定回数（例えば、１００回）の特別図柄変動が完了する迄、特別利益状態発生手段６７を介して確率変更手段６５に対して、大当たりとする判定値の数を通常のときよりも多くして、大当たり確率を通常よりも高める（例えば、１／６０）ように指令する。このように、確率変更手段６５は、確率変動モードを設定した場合、大当たり確率を高めるとともに、後述する普通利益状態発生手段６６に所定の利益を与えるように指示する。
【００４５】
普通利益状態発生手段６６は、確率変更手段６５から前述した確率変動指示を受けると、普通図柄が「当たり」になることを条件として、特別図柄始動手段２４の普通電動手段２４ｂを通常時（例えば、約０．５　秒）よりも長い時間（例えば、約３秒）、開状態にする等して、遊技球が入り易くなるといった利益状態を遊技者に与える。特別利益状態発生手段６７は、更に、判定手段６４から大当たりの判定結果を受ける、若しくは、特別図柄表示手段２３の変動後の停止図柄が大当たり図柄となることを条件に、遊技制御に含まれる所定の特別遊技制御ルーチンにより特別遊技を付与する。
【００４６】
この場合、大入賞口手段２５の開閉板２５ａが前方に開放され、所定時間（例えば、約３０秒間）が経過した場合、又は所定数（例えば１０個）の遊技球が入賞した場合に特別遊技が終了する。ところで、開閉板２５ａが閉じるに際して、少なくとも１個の遊技球が特定入賞領域２５ｄを通過していれば、最大所定ラウンド（例えば、１６ラウンド）まで特別遊技を継続でき、遊技者に有利な特別遊技状態が付与される。
【００４７】
図柄変動決定手段６８は、判定手段６４からの判定結果に応じて、所定の抽選プログラムにより、普通図柄に関して、「当たり」のときには当たりに関する普通図柄用の変動パターン指定コマンドと、左図柄及び右図柄の為の図柄指定コマンドを抽選により夫々決定する。図柄変動決定手段６８は、更に、特別図柄に関して、「大当たり」のときには大当たりに関する特別図柄用の変動パターン指定コマンドと、左図柄と中図柄と右図柄の為の図柄指定コマンドを抽選により夫々決定する。
【００４８】
更に、図柄変動決定手段６８は、普通図柄と特別図柄に関して、「外れ」のときには、外れ用の変動パターン指定コマンド及び外れ用の図柄指定コマンドと、外れ図柄を抽選により夫々決定する。コマンド送受信手段６９は、音声／ランプ制御手段８０に対して、これら普通図柄用と特別図柄用の変動パターン指定コマンドと図柄指定コマンドを順次送信する。ところで、入賞計数手段７０は、複数の普通入賞手段２２と、特別図柄始動手段２４と、大入賞口手段２５に有する普通入賞領域２５ｂ及び特定入賞領域２５ｄに入賞する遊技球を計数する。
【００４９】
そこで、コマンド送受信手段６９は、その入賞計数手段７０で集計した遊技球の入賞個数に基づく遊技球の払出しを指令する払出し指令コマンドを作成して払出し制御手段１０５に送信するとともに、払出し制御手段１０５から、賞球払出し数情報やエラー発生情報等の各種の情報を受信可能になっている。コマンド送受信手段６９は、更に、遊技球の保留数に関する保留球情報の制御コマンド、確率変動状態を示す確率変動情報の制御コマンド等、種々の制御コマンドを、送信対象の制御手段８０，９０，１０５に個別に送信出力する。
【００５０】
次に、音声／ランプ制御基板４８のＲＯＭ４８ｂに予め格納した制御プログラムにより、音声／ランプ制御手段８０として達成される種々の機能について、図９の機能ブロック図により説明する。
音声／ランプ制御基板４８上に構成された音声／ランプ制御手段８０は、主制御手段６０から変動パターン指定コマンドを受信し、遊技盤５や前枠４等に設けられた多数の装飾用ランプや演出用ランプ等を含むランプ群２６，２７，５６，５７の点灯制御を司るとともに、球受け皿８の裏側に設けられたスピーカ５５を駆動制御してサウンド出力制御を司る。
【００５１】
そこで、音声／ランプ制御手段８０は、コマンド送受信手段８１と、演出パターン記憶手段８２と、演出パターン決定手段８３と、乱数発生手段８４と、点灯制御手段８５と、音声発生制御手段８６等を備えている。コマンド送受信手段８１は、主制御手段６０のコマンド送受信手段６９から変動パターン指定コマンドや図柄指定コマンドを受信するとともに、図柄制御手段９０のコマンド送受信手段９１に対して、変動パターン指定コマンドや図柄指定コマンド等の制御コマンドを送信可能になっている。
【００５２】
変動パターン記憶手段８２には、変動パターン指定コマンドの各々について、各種の表示ランプや装飾ランプ等のランプ群５６，５７の点灯や点滅を制御する複数種類のランプ演出制御パターンと、スピーカ５５を鳴動させる為の複数種類のスピーカ演出制御パターンが予め格納されている。変動パターン決定手段８３は、変動パターン指定コマンドに対応するランプ演出制御パターンやスピーカ演出制御パターンを選択するとともに、これらランプ演出制御パターンやスピーカ演出制御パターンに、複数の選択肢が設けられている場合には、乱数発生手段８４で発生した所定数の制御乱数のうちの１つを抽出し、この抽出した制御乱数に基づいて１つの選択肢を決定する。
【００５３】
点灯制御手段８５は、変動パターン決定手段８３で決定したランプ演出制御パターンに基づく点灯駆動信号を出力することで、ランプ群５６，５７を点灯／点滅制御するのに加えて、普通図柄作動保留ランプ２６や特別図柄作動保留ランプ２７を点灯制御する。音声発生制御手段８６は、変動パターン決定手段８３で決定したスピーカ演出制御パターンに基づく駆動信号に基づいてスピーカ５５を鳴動させる。
【００５４】
次に、図柄制御基板４６のＲＯＭ４６ｂに予め格納した制御プログラムにより、図柄制御手段９０（これが副制御手段に相当する）として達成される種々の機能について、図９の機能ブロック図により説明する。
図柄制御基板４６上に構成された図柄制御手段９０は、コマンド送受信手段９１と、変動パターン記憶手段９２と、変動パターン決定手段９３と、乱数発生手段９４と、表示装置制御手段９５と、液晶ドライバ９６、駆動制御手段９７等を備えている。
【００５５】
コマンド送受信手段９１は、音声／ランプ制御手段８０のコマンド送受信手段８１から変動パターン指定コマンドや図柄指定コマンドを受信するとともに、このコマンド送受信手段８１に対して、種々の制御コマンドを送信可能になっている。変動パターン記憶手段９２には、普通図柄や特別図柄に関して、複数の変動パターン指定コマンドの各々に変動内容（変動時間を含む）を対応づけた図柄変動に関する変動パターン情報が記憶されている。
【００５６】
変動パターン決定手段９３は、変動パターン指定コマンドに対応する変動パターン情報を選択するとともに、この変動パターン情報に、複数の選択肢が設けられている場合には、乱数発生手段９４で発生した所定数の制御乱数のうちの１つを抽出し、この抽出した制御乱数に基づいて１つの選択肢を決定する。表示装置制御手段９５は、変動パターン決定手段９３から受けた図柄変動に関する種々の図柄表示信号を液晶ドライバ９６に送信出力する。
【００５７】
それ故、液晶ディスプレイ２１上に構成された図柄表示手段１００のうちの特別図柄表示手段１０１の図柄表示部２１ａ〜２１ｃにおいて特別図柄が変動表示され、図柄表示手段１００のうちの普通図柄表示手段１０２の図柄表示部２１ｄ，２１ｅにおいて普通図柄が変動表示されるのに加えて、図柄表示手段１００の略全体において、図柄背景を伴う演出表示等の各種の演出表示が行われる。駆動制御手段９７は、回転リール２９を第１回転角度に対応する４８ステップ数（これが第１ステップ数に相当する）を記憶し、コマンド送受信手段９１から受けた変動パターン指定コマンドに基づいて、回転リール２９を用いた演出が必要な場合に回転リール２９を回転駆動する。
【００５８】
それ故、液晶ディスプレイ２１は、３つの特別図柄を変動表示する特別図柄表示手段１０１と、２つの普通図柄を変動表示する普通図柄表示手段１０２との両方の表示機能を実現させる図柄表示手段１００である。この場合、特別図柄の変動が停止する場合、判定手段６４の判定結果に基づいて、図柄表示部２１ａ〜２１ｃには、大当たり図柄態様、リーチ図柄態様、外れ図柄態様の何れかの図柄態様で停止する。
【００５９】
次に、払出し制御基板５１のＲＯＭ５１ｂに予め格納された制御プログラムにより、払出し制御手段１０５が構成され、その払出し制御手段１０５は、図１０に示すように、コマンド送受信手段１０６と、払出し／球貸し制御手段１０７等からなっており、コマンド送受信手段１０６を介して主制御手段６０から受けた払出し指令コマンドに基づいて、払出し／球貸し機構４１に対して遊技球の払出しを指令する。
【００６０】
ここで、外部インターフェース制御基板５２上に構成された外部インターフェース制御手段１１０は、払出し／球貸し制御手段１０７から払出しに関するエラーを何ら受信していない場合には、発射許可信号を、発射制御基板５３上に構成された発射制御手段１１１に送信するため、遊技者が操作ハンドル１１を操作した場合に発射モータ１３が発射制御手段１１１により駆動され、遊技球の発射が可能になっている。
【００６１】
次に、図柄制御手段９０で実行される回転リール回転制御について、図１１のフローチャートに基づいて説明する。ここで、図柄制御基板４６のＲＯＭ４６ｂには、電源が遮断された状態を検出するための特定の電源断判定値ＨＡが予め記憶されている。また、図柄制御基板４６のＲＡＭ４６ｃの記憶データの全ては、図示しない小型のバックアップ電源により瞬間停電では消去しないようにバックアップされている。但し、図中符号Ｓｉ（ｉ＝１１、１２、１３・・・）は各ステップである。
【００６２】
電源スイッチ５０ａが操作されて電源が投入されるとこの制御が実行される。この制御が開始されると、先ず図柄制御手段９０のＲＡＭ４６ｃに記憶されている電源断判定値ＨＢが読み込まれ、ＲＯＭ４６ｂに記憶した電源断判定値ＨＡとＲＡＭ４６ｃの電源断判定値ＨＢとを照合する照合処理が実行される（Ｓ１１）。その結果、電源断判定値ＨＢが正常な値として記憶されていないため、これら両電源断判定値ＨＡ，ＨＢが一致しない場合には（Ｓ１２：Ｎｏ）、ステップ数カウント値ＳＣとして、回転リール２９を２回転（これが３６０度以上の所定の第１回転角度に相当する）させる「４８」ステップがセットされる（Ｓ１３）。
【００６３】
次に、駆動モータ３１が１ステップ分だけ回転駆動され（Ｓ１４）、フォトインタラプタ３２からセンサ信号を受信しない場合には（Ｓ１５：Ｎｏ）、ステップ数カウント値ＳＣが１つデクリメントされ（Ｓ１６）、ステップ数カウント値ＳＣが「０」でない場合には（Ｓ１７：Ｎｏ）、Ｓ１４〜Ｓ１７が繰り返して実行される。このようにＳ１４〜Ｓ１７を繰り返す間に、センサ信号を受信した場合には（Ｓ１５：Ｙｅｓ）　、センサ信号数カウント値ＳＮが１つインクリメントされる（Ｓ２５）。
【００６４】
ステップ数カウント値ＳＣが「０」になった場合に（Ｓ１７：Ｙｅｓ）　、センサ信号数カウント値ＳＮが「２」の場合には（Ｓ１８：Ｙｅｓ）　、電源断判定値ＨＡが電源断判定値ＨＢとして複写によりＲＡＭ４６ｃに記憶される（Ｓ２６）。この場合、例えば、図１２に示すように、今回の電源投入時の回転開始時に演出図柄「スター」Ｚ１から回転を開始した場合、駆動モータ３１が２４ステップ分の駆動パルス信号により１回転した場合、回転リール２９が同時に１回転して同様の演出図柄「スター」Ｚ１が表示され、駆動モータ３１が更にもう１回転した時点でも、同様の演出図柄「スター」Ｚ１の全体が前面カバー３０を介して正常に表示（図２参照）される。
【００６５】
即ち、フォトインタラプタ３２が正常に作動しているために、フォトインタラプタ３２から、回転リール２９の２回転に相当する２つのセンサ信号を正常に受信した場合には、回転を停止した回転リール２９の演出図柄「スター」Ｚ１の全体が正常に表示されるため、遊技ホールの従業員はこの正常な表示状態により、フォトインタラプタ３２が正常であることが分かる。その後、遊技者による遊技が開始され、主制御手段６０から受けた変動パターン指定コマンドに基づいて、回転リール２９を用いた演出が必要な場合、つまり駆動モータ３１を回転駆動させる場合には（Ｓ２１：Ｙｅｓ）　、連続する複数の駆動パルス信号が駆動モータ３１に供給され、駆動モータ３１が回転駆動される（Ｓ２２）。
【００６６】
そして、図柄表示手段１００における３つの特別図柄の変動が停止する前に、図柄表示手段１００に、例えばキャラクタ「スター」が表示され、「スターで止めて下さい」のメッセージが表示されるため、遊技者が「スター」で止めるように停止ボタン１６を操作した場合（Ｓ２３：Ｙｅｓ）　、受信した変動パターン指定コマンドに応じた演出図柄で表示して停止させる停止処理が実行される（Ｓ２４）。この場合に、回転リール２９の回転停止により表示される演出図柄は、確変モードや確変昇格モードの場合に、「スター」を表示して停止するが、これら確変モードや確変昇格モード以外の場合には、「スター」以外の演出図柄を表示して停止する。このように、図柄制御手段９０で制御される演出に相応しい演出図柄を表示して停止する。
【００６７】
ところで、ステップ数カウント値ＳＣが「０」になった場合、つまり回転リール２９が２回転した場合（Ｓ１７：Ｙｅｓ）　、その２回転の間にセンサ信号数カウント値ＳＮが「２」に達していない場合、つまり２つのセンサ信号を正常に受信できなかった場合には（Ｓ１８：Ｎｏ）、フォトインタラプタ３２が故障している可能性が高い。この場合には、駆動モータ３１が更に６ステップ分（これが所定の第２回転角度に相当する）駆動され（Ｓ１９）、異常状態を知らせる旨のエラーメッセージを図柄表示手段１００に表示する等して、異常状態が報知される（Ｓ２０）。
【００６８】
即ち、図１３に示すように、駆動モータ３１が４８ステップ分の駆動パルス信号により回転リール２９が２回転したにも関わらず、センサ信号を正常に受信できなかった場合には、１つの演出図柄の配列ピッチに相当するピッチ対応ステップ数（４ステップ）の整数倍とは異なる６ステップ分の駆動パルス信号により、回転リール２９が更に１図柄分（４ステップ）に加えて１／４回転分（２ステップ）だけ余分に回転される。その結果、演出図柄「スター」Ｚ１の次の演出図柄「ダイヤモンド」の後半分と、その次の演出図柄「ベル」の前半分とからなる半分ずつの演出図柄を同時に表示するような中途半端な表示状態となる。
【００６９】
ここで、図１１に示す回転リール回転制御の特にＳ１７〜Ｓ１８等から異常判定手段が構成されている。このように、電源投入に際して回転リール２９を２回転させ、この２回転の間にフォトインタラプタ３２から２つのセンサ信号が正常に供給される場合には、回転開始する時の演出図柄と同様の演出図柄の全てが正規に表示されるため、回転リール２９の回転制御が正常に行われ、フォトインタラプタ３２が正常に作動していることが容易に判明する。
【００７０】
しかし、フォトインタラプタ３２からセンサ信号が正常に供給されない場合には、ピッチ対応ステップ数の整数倍とは異なる６ステップ分の駆動パルス信号で駆動モータ３１を更に駆動するため、回転リール２９は更に１／４回転だけ余分に回転され、結果的に、２つの演出図柄が半分ずつ同時に表示された中途半端な表示状態となる。そこで、遊技ホールの従業員がホールを見回って、このように図柄の異常な表示状態を発見することで、フォトインタラプタ３２に故障が生じ、これが原因で回転リール２９の回転制御が正常に行われなかったことが容易に判明する。
【００７１】
そこで、従業員が故障しているフォトインタラプタ３２を新品に早期に交換して対応することができる。更に、電源断状態が長期間に亙る場合、ＲＡＭ４６ｃの電源断判定値ＨＢが破壊されるために回転リール２９の回転制御が実行されるが、瞬時の停電発生時には電源断判定値ＨＢが破壊されることがなく、回転リール２９の回転制御が実行されず、遊技者による遊技を支障なく続行することができる。
【００７２】
次に、前記実施形態の変更形態について説明する。
１〕前記回転リール回転制御を、図１４に示すようにＳ１９に代えてＳ３０を設けて部分的に変更し、フォトインタラプタ３２が故障した場合、駆動モータ３１を連続的に回転させるようにしてもよい。即ち、変更部分について説明すると、
回転リール２９が２回転して、ステップ数カウント値ＳＣが「０」になった場合（Ｓ１７：Ｙｅｓ）　、回転リール２９の２回転の間にセンサ信号数カウント値ＳＮが「２」に達していない場合には（Ｓ１８：Ｎｏ）、駆動モータ３１が連続的に回転駆動される（Ｓ３０）。この場合、従業員は回転リール２９の回転状態によりフォトインタラプタ３２の故障を容易に発見することができる。
【００７３】
２〕図１１、図１４に示す回転リール回転制御において、フォトインタラプタ３２からセンサ信号が出力されるのは、６つの演出図柄Ｚ１〜Ｚ６の何れの停止位置とは異なる位置関係となるように、フォトインタラプタ３２の取付け位置を調節した場合には、Ｓ１３において、「２４ステップ」をセットするようにし、回転リール２９を少なくとも１回転させるようにしてもよい。
３〕異常状態は、図柄表示手段１００に代えて、スピーカ５５を用いてメッセージ「センサ不良」や警告音により報知したり、装飾ランプ群５７の１つ又は別途設けた異常報知ランプにより報知するようにしてもよい。
【００７４】
４〕フォトインタラプタ３２に代えて、近接スイッチ等の磁気式スイッチ、リミットスイッチ等の接触型スイッチ等、各種のスイッチを設けてもよい。
５〕本発明をスロットマシンに適用してもよい。即ち、図柄表示機構に有する複数（例えば、３つ）の回転リールの各々を専用の駆動モータで駆動し、各回転リールの１回転毎にフォトインタラプタからセンサ信号が出力されるように構成し、電源投入に際して各回転リールを２回転させ、この２回転の間にフォトインタラプタから２つのセンサ信号が出力されない場合、回転リールを余分に回転させることで、回転リールの表面に印した複数の図柄の幾つかが、正常な停止位置よりもズレて停止させるようにしてもよい。
【００７５】
また、図柄表示機構とは別個に第４の回転リールを設けるような場合にも同様に、回転リールの１回転毎にフォトインタラプタからセンサ信号を出力するように構成し、電源投入に際して各回転リールを２回転させ、この２回転の間にフォトインタラプタから２つのセンサ信号が出力されない場合、回転リールを余分に回転させることで、回転リールの表面に印した複数の図柄が、正常な停止位置よりもズレて停止させるようにしてもよい。
【００７６】
６〕回転リール２９が１回転する毎にセンサ信号（検出信号）を出力する位置検出手段であるフォトインタラプタ３２を、例えば、図柄数「６つ」に対応するように「６つ」設け、回転リール２９が１回転したにも関わらず、検出信号の数が正規の「６つ」よりも少ない場合に、フォトインタラプタ３２が故障であることを判明するように構成してもよい。この場合には、回転リール２９の少ない回転数でもって、フォトインタラプタ３２の故障を容易に且つ迅速に判定することができる。
【００７７】
７〕ここで、本発明は、以上説明した実施形態に限定されるものではなく、本発明の趣旨を逸脱しない範囲で種々の変更を付加し、本発明を適用することが可能である。更に、各種の遊技媒体を用いるアレンジボール、雀球遊技機等の種々の遊技機に本発明を適用することが可能である。
【００７８】
【発明の効果】請求項１の発明によれば、遊技制御手段と副制御手段と回転部材と電動モータと駆動制御手段とを備え、駆動制御手段は、電源投入後に回転部材を３６０度以上の所定の第１回転角度だけ回転させるように、電動モータを駆動制御するので、回転部材を第１回転角度だけ回転させて停止したたときに、第１回転角度の設定如何で、図柄の全体が正常に表示されたり、場合によっては正常に表示されなかったりするため、目視することで、回転部材の回転制御が正常であるか否か、つまり回転部材の回転制御に必要な回転位置検出が正常か否かを容易に判断することができる。
【図面の簡単な説明】
【図１】本発明の実施形態に係るパチンコ機の斜視図である。
【図２】パチンコ機の遊技盤の正面図である。
【図３】センターケースに設けた回転表示装置の後方からの斜視図である。
【図４】回転表示装置の平面図である。
【図５】パチンコ機の背面図である。
【図６】パチンコ機の側面図である。
【図７】パチンコ機の制御系のブロック図である。
【図８】主制御手段の制御系の機能ブロック図である。
【図９】音声／ランプ制御手段と図柄制御手段の機能ブロック図である。
【図１０】払出し制御手段の機能ブロック図である。
【図１１】回転リール回転制御のフローチャートである。
【図１２】正常時に表示される回転リールの演出図柄を説明する説明図である。
【図１３】異常時に表示される図１２相当図である。
【図１４】変更形態に係る図１１相当図である。
【符号の説明】
１　　　　パチンコ機（弾球遊技機）
２９　　　回転リール
３１　　　駆動モータ
３２　　　フォトインタラプタ
４６ｂ　　ＲＯＭ
４６ｃ　　ＲＡＭ
５５　　　スピーカ
５７　　　装飾ランプ
６０　　　主制御手段
９０　　　図柄制御手段
９７　　　駆動制御手段
１００　　図柄表示手段
【図１】
2004121651.tif 000003
【図２】
2004121651.tif 000004
【図３】
2004121651.tif 000005
【図４】
2004121651.tif 000006
【図５】
2004121651.tif 000007
【図６】
2004121651.tif 000008
【図７】
2004121651.tif 000009
【図８】
2004121651.tif 000010
【図９】
2004121651.tif 000011
【図１０】
2004121651.tif 000012
【図１１】
2004121651.tif 000013
【図１２】
2004121651.tif 000014
【図１３】
2004121651.tif 000015
【図１４】
2004121651.tif 000016